(57)【要約】【課題】応答性の遅い表示手段を用いても高速動作する移動対象画像の残像を緩和する。【解決手段】表示手段１５に表示する表示画像上に、移動対象画像を動画として描画する移動対象画像描画装置１０であって、前記表示画面における前記移動対象画像の描画位置を特定する描画位置特定手段Ｐ１と、前記移動対象画像の過去の所定描画回数にわたる過去描画位置を記憶する過去描画位置記憶手段１６と、前記描画位置から前記過去描画位置までの前記移動対象画像の残像緩和領域を検出する残像緩和領域検出手段Ｐ２と、残像緩和領域検出手段Ｐ２が検出した前記表示手段１５の残像緩和領域に残像緩和画像を描画する残像緩和画像描画手段Ｐ３と、描画位置特定手段Ｐ１が特定した表示手段１５の描画位置に、前記移動対象画像を描画する移動対象画像描画手段Ｐ４と、を有する。【選択図】図１
2010133888.tif 000002
【特許請求の範囲】
【請求項１】
表示手段に表示する表示画像上に、移動対象画像を動画として描画する移動対象画像描画装置であって、
前記表示画面における前記移動対象画像の描画位置を特定する描画位置特定手段と、
前記移動対象画像の過去の所定描画回数にわたる過去描画位置を記憶する過去描画位置記憶手段と、
前記描画位置から前記過去描画位置までの前記移動対象画像の残像緩和領域を検出する残像緩和領域検出手段と、
前記残像緩和領域検出手段が検出した前記表示手段の残像緩和領域に残像緩和画像を描画する残像緩和画像描画手段と、
前記描画位置特定手段が特定した前記表示手段の描画位置に、前記移動対象画像を描画する移動対象画像描画手段と、
を有することを特徴とする移動対象画像描画装置。
【請求項２】
前記描画位置特定手段による描画位置の特定に応じて、前回の移動対象画像を消去する前回移動対象画像消去手段を有することを特徴とする請求項１に記載の移動対象画像描画装置。
【請求項３】
前記残像緩和領域検出手段が検出した前記残像緩和領域を、複数の過去描画位置に基づいて、複数の残像緩和分割領域に分割する残像緩和領域分割手段を有し、
前記残像緩和画像描画手段が、前記複数の残像緩和分割領域に描画する分割残像緩和画像の各々を、前記移動対象画像から離れるに従って階調が段階的に低くなるように描画する手段であることを特徴とする請求項１又は２に記載の移動対象画像描画装置。
【請求項４】
前記移動対象画像が、指針を回動表示する画像であり、
前記残像緩和画像描画手段が、前記複数の残像緩和分割領域に描画する分割残像緩和画像の各々を、前記指針の回動中心に向かうに従って徐々に階調が低くなるように描画する手段であることを特徴とする請求項３に記載の移動対象画像描画装置。
【請求項５】
請求項１〜４の何れか１項に記載の移動対象画像描画装置を有することを特徴とする車両用表示システム。
【発明の詳細な説明】
【技術分野】
【０００１】
本発明は、表示画像上に移動対象画像を動画として描画する移動対象画像描画装置及び該移動対象画像描画装置を有する車両用表示システムに関するものである。
【背景技術】
【０００２】
特許文献１等に示すように、従来のグラフィックメータは、グラフィック表示において、速く移動する画像を表示する場合に、多くのコマの画像をなくして、速く移動しているイメージを出すために、「モーションブラー」を用いることが知られている。しかしながら、モーションブラーの表示は、指針の動きを実質的に視認できない速さの回動速度の場合に用いられる。そして、指針がある程度視認できるような回動速度の場合には、通常の指針の表示に切り替えられていた。
【０００３】
本出願人は、特許文献２に示すグラフィックメータを提案してきた。このグラフィックメータは、指針画像の端部の辺を対辺とする台形によりモーションブラー指針画像を生成し、通常指針画像とモーションブラー指針画像とが重ならないようにして輝度ムラをなくしてきた。
【特許文献１】特開２００３−２６２５４２号公報
【特許文献２】特開２００７−３０９７１９号公報
【発明の開示】
【発明が解決しようとする課題】
【０００４】
しかしながら、高速に動作する指針画像を描画する場合、液晶やＥＬ等の表示デバイスの応答性が遅いと、描画後に薄くなっていく消去指針画像が視認者に残像となって見えていた。そのため、新たな指針画像と消去指針画像が同時に複数見えてしまい、視認者に違和感やちらつき感を与えてしまうという問題があった。このような問題は、応答性の早い表示デバイスが高額であるために用いることができない指針画像描画装置に生じていた。そして、この問題は、指針画像に限定するものではなく、例えば、指示画像、動画画像、等の移動対象画像にも同様に生じる問題であった。
【０００５】
よって本発明は、上述した問題点に鑑み、応答性の遅い表示手段を用いても、高速動作する移動対象画像の残像を緩和することができる移動対象画像描画装置及び車両用表示システムを提供することを課題としている。
【課題を解決するための手段】
【０００６】
上記課題を解決するため本発明によりなされた請求項１記載の移動対象画像描画装置は、図１の基本構成図に示すように、表示手段１５に表示する表示画像上に、移動対象画像を動画として描画する移動対象画像描画装置１０であって、前記表示画面における前記移動対象画像の描画位置を特定する描画位置特定手段Ｐ１と、前記移動対象画像の過去の所定描画回数にわたる過去描画位置を記憶する過去描画位置記憶手段１６と、前記描画位置から前記過去描画位置までの前記移動対象画像の残像緩和領域を検出する残像緩和領域検出手段Ｐ２と、前記残像緩和領域検出手段Ｐ２が検出した前記表示手段１５の残像緩和領域に残像緩和画像を描画する残像緩和画像描画手段Ｐ３と、前記描画位置特定手段Ｐ１が特定した前記表示手段１５の描画位置に、前記移動対象画像を描画する移動対象画像描画手段Ｐ４と、を有することを特徴とする。
【０００７】
上記請求項１に記載した本発明の移動対象画像描画装置によれば、描画位置特定手段Ｐ１は、移動対象画像の描画に応じて、表示画面における移動対象画像の描画位置を特定する。過去描画位置記憶手段１６は、例えば前回や複数の描画回数の過去描画位置を記憶する。残像緩和領域検出手段Ｐ２は、その描画位置から過去描画位置までの移動対象画像の残像緩和領域を検出すると、残像緩和画像描画手段Ｐ３は、該検出した残像緩和領域に、例えば背景画像、打ち消し画像、等の残像緩和画像を描画する。そして、移動対象画像描画手段Ｐ４は、描画位置に移動対象画像を描画する。よって、移動対象画像を過去に描画した領域を残像緩和領域とし、該残像緩和領域に残像緩和画像を表示することができる。
【０００８】
請求項２記載の発明は、図１の基本構成図に示すように、請求項１に記載の移動対象画像描画装置において、前記描画位置特定手段Ｐ１による描画位置の特定に応じて、前回の移動対象画像を消去する前回移動対象画像消去手段Ｐ５を有することを特徴とする。
【０００９】
上記請求項２に記載した本発明の移動対象画像描画装置によれば、描画位置特定手段Ｐ１が描画位置を特定すると、前回移動対象画像消去手段Ｐ５は前回の移動対象画像を消去するため、描画の応答性が遅い表示手段１５でも、過去の移動対象画像が残像として視認されることを防止できる。
【００１０】
請求項３記載の発明は、図１の基本構成図に示すように、請求項１又は２に記載の移動対象画像描画装置において、前記残像緩和領域検出手段Ｐ２が検出した前記残像緩和領域を、複数の過去描画位置に基づいて、複数の残像緩和分割領域に分割する残像緩和領域分割手段Ｐ６を有し、前記残像緩和画像描画手段Ｐ３が、前記複数の残像緩和分割領域に描画する分割残像緩和画像の各々を、前記移動対象画像から離れるに従って階調が段階的に低くなるように描画する手段であることを特徴とする。
【００１１】
上記請求項３に記載した本発明の移動対象画像描画装置によれば、残像緩和領域分割手段Ｐ６は、複数の過去描画位置に基づいて、残像緩和領域を複数の残像緩和分割領域に分割する。そして、残像緩和画像描画手段Ｐ３は、複数の残像緩和分割領域に描画する分割残像緩和画像の各々を、移動対象画像から離れるに従って階調が段階的に低くなるように描画するようにしたことから、移動対象画像の移動方向や描画位置を認識し易くすることができる。
【００１２】
請求項４記載の発明は、図１の基本構成図に示すように、請求項３に記載の移動対象画像描画装置において、前記移動対象画像が、指針を回動表示する画像であり、前記残像緩和画像描画手段Ｐ３が、前記複数の残像緩和分割領域に描画する分割残像緩和画像の各々を、前記指針の回動中心に向かうに従って徐々に階調が低くなるように描画する手段であることを特徴とする。
【００１３】
上記請求項４に記載した本発明の移動対象画像描画装置によれば、残像緩和画像描画手段Ｐ３が、複数の残像緩和分割領域に描画する分割残像緩和画像の各々を、指針の回動中心に向かうに従って徐々に階調が低くなるように描画するようにしたことから、指針の回動中心寄りの描画処理の付加を低減することができる。
【００１４】
上記課題を解決するため本発明によりなされた請求項５記載の車両用表示システムは、図１の基本構成図に示すように、請求項１〜４の何れか１項に記載の移動対象画像描画装置１０を有することを特徴とする。
【００１５】
上記請求項５に記載した本発明の車両用表示システムによれば、移動対象画像描画装置１０は、表示手段１５の表示画面における移動対象画像の描画位置から過去描画位置までの移動対象画像の残像緩和領域を検出し、該検出した残像緩和領域に残像緩和画像を描画するとともに、描画位置に移動対象画像を描画する。よって、移動対象画像を過去に描画した領域を残像緩和領域とし、該残像緩和領域に残像緩和画像を表示することができる。
【発明の効果】
【００１６】
以上説明したように請求項１に記載した本発明の移動対象画像描画装置によれば、移動対象画像を過去に描画した領域を残像緩和領域とし、該残像緩和領域に残像緩和画像を表示するようにしたことから、残像緩和領域によって過去の移動対象画像が残像として視認されることを低減できるため、視認者が移動対象画像を視認し易くなる。また、残像緩和領域に残像緩和画像を描画するだけで良いため、描画の負荷を少なくできる。従って、応答性の遅い表示手段を用いても、高速動作する移動対象画像の残像を緩和することができるため、違和感やちらつきのない表示を行うことができる。
【００１７】
請求項２に記載した本発明によれば、請求項１に記載の発明の効果に加え、描画位置の特定に応じて前回の移動対象画像を消去するようにしたことから、描画の応答性が遅い表示手段でも、過去の移動対象画像が残像として視認されることをより一層確実に防止できるため、視認性の向上を図ることができる。
【００１８】
請求項３に記載した本発明によれば、請求項１又は２に記載の発明の効果に加え、残像緩和領域を複数の残像緩和分割領域に分割し、複数の残像緩和分割領域に描画する分割残像緩和画像の各々を、移動対象画像から離れるに従って階調が段階的に低くなるように描画するようにしたことから、移動対象画像の移動速度を早くしても、移動対象画像の移動方向や描画位置を認識し易くすることができるため、視認者が移動対象画像の位置を咄嗟に判断することができる。
【００１９】
請求項４に記載した本発明によれば、請求項３に記載の発明の効果に加え、複数の残像緩和分割領域に描画する分割残像緩和画像の各々を、指針の回動中心に向かうに従って徐々に階調が低くなるように描画するようにしたことから、指針の回動中心寄りの描画処理の付加を低減することができるため、描画の応答性が遅い低価格の表示手段を用いても視認性の向上を図ることができる。
【００２０】
以上説明したように請求項５に記載した本発明の車両用表示システムによれば、移動対象画像描画装置が表示手段における表示画面上の移動対象画像を過去に描画した領域を残像緩和領域とし、該残像緩和領域に残像緩和画像を表示することから、残像緩和領域によって過去の移動対象画像が残像として視認されることを低減できるため、視認者が移動対象画像を視認し易くなる。また、残像緩和領域に残像緩和画像を描画するだけで良いため、表示手段の描画の負荷を少なくできる。従って、応答性の遅い表示手段を用いても、高速動作する移動対象画像の残像を緩和することができるため、違和感やちらつきのない表示を行うことができる。そして、本発明の移動対象画像描画装置によって描画処理の負担を軽減できることから、発熱や放出ノイズを低減できるため、車載部品としての使用に貢献することができる。
【発明を実施するための最良の形態】
【００２１】
以下、本発明に係る移動対象画像描画装置及び車両用表示システムの一実施形態を、図２〜図８の図面を参照して以下に説明する。
【００２２】
図２において、表示車両用表示システム１は、移動対象画像描画装置１０を有している。移動対象画像描画装置１０は、予め定めたプログラムに従って各種の処理や制御などを行う中央演算処理装置（ＣＰＵ）１１と、ＣＰＵ１１のためのプログラム等を格納した読み出し専用のメモリであるＲＯＭ１２と、各種のデータを格納するとともにＣＰＵ１１の処理作業に必要なエリアを有する読み出し書き込み自在のメモリであるＲＡＭ１３と、ＧＤＣ（Graphics Display Controller）１４と、表示部１５と、ＶＲＡＭ（Video Random Access Memory）１６と、を有している。
【００２３】
ＣＰＵ１１には、ＲＯＭ１２とＲＡＭ１３とＧＤＣ１４がバス１７を介して各種データの入出力が可能なように接続されている。そして、ＧＤＣ１４には、表示部１５とＶＲＡＭ１６とがバス１７を介して各種データの入出力が可能なように接続されている。
【００２４】
ＲＯＭ１２は、例えばグラフィックメータ等に組み込まれた移動対象画像描画装置１０における処理全体を制御するためのプログラム等を記憶しており、ＣＰＵ１１はそのプログラムを実行することで、所望の表示画像の表示要求をＧＤＣ１４に出力する。本実施形態では、図３に示すように、スピードメータとしての表示画像Ｇとした場合について説明する。これに代えて、車両用のグラフィックメータの場合、タコメータや燃料計等の種々異なる表示画像とすることができる。そして、ＣＰＵ１１は、車両の速度センサ等から車両の速度データを取得して速度を検出し、該速度を指示表示をＧＤＣ１４に要求する。
【００２５】
ＧＤＣ１４は、ＣＰＵ１１から表示要求を受けると、ＶＲＡＭ１６のデータに基づいて表示画像Ｇを表示部１５に描画することで、表示部１５に表示画面Ｇを表示させる。ＧＤＣ１４は、後述する描画処理プログラムを内蔵メモリ等に記憶している。本実施形態では、ＧＤＣ１４がその描画処理プログラムを実行することで、図１に示す請求項中の描画位置特定手段Ｐ１、残像緩和領域検出手段Ｐ２、残像緩和画像描画手段Ｐ３、移動対象画像描画手段Ｐ４、前回移動対象画像消去手段Ｐ５、残像緩和領域分割手段Ｐ６として機能する場合について説明する。これに代えて、それらの手段の一部をＧＤＣ１４で機能させ、残りの手段をＣＰＵ１１に機能させる実施形態とすることもできる。また、本実施形態では、ＧＤＣ１４に描画を行わせることによって、ＣＰＵ１１が行うはずの作業を軽減する場合について説明するが、本発明はこれに限定するものではなく、ＣＰＵ１１が直接描画制御を行う実施形態とすることもできる。
【００２６】
表示器１５は、図１に示す請求項中の表示手段に相当している。表示部１５は、縦横の行列に並んでいる表示単位(画素)をＯＮ／ＯＦＦして、文字・図形など表示画面上に描くことができるドットマトリクス型の液晶表示装置等が用いられる。そして、表示部１５はＧＤＣ１４の制御により画素をＯＮ／ＯＦＦして表示画像Ｇを表示する構成となっている。これに代えて、表示部１５は、例えば、有機ＥＬ（Electro Luminescence）素子、無機ＥＬ素子、蛍光表示管（ＶＦＤ）、電界放電ディスプレイ（ＦＥＤ：Field Emission Display）、等の表示装置を任意に用いることもできる。
【００２７】
ＶＲＡＭ１６は、図１に示す請求項中の過去描画位置記憶手段に相当している。ＶＲＡＭ１６は、公知であるように、表示部１５に表示される内容を保持して記憶するメモリとなっている。ＶＲＡＭ１６は、図２に示すように、上述した表示画像Ｇと残像緩和画像Ｄを記憶している。表示画像Ｇは、複数のレイヤに対応した複数の画像よって構成している。
【００２８】
本実施形態の表示画像Ｇは、図３に示すように、意匠画像Ｇ１と、移動対象画像Ｇ２と、を有している。そして、表示画像Ｇは、意匠画像Ｇ１上に移動対象画像Ｇ２を重ねることで、表示画像Ｇの移動対象画像Ｇ２を変化させて表示する構成となっている。即ち、移動対象画像Ｇ２を変化させることで、計測量に応じた指示位置まで指針３３の指示部３３ａを回動（移動）表示させる。
【００２９】
意匠画像Ｇ１は、スピードメータの文字版（背景）３１と目盛、数字、等の指標３２とを示す画像データとなっている。移動対象画像Ｇ２は、指針３３を示す画像データとなっている。指針３３は、指標３２を指示する指示部３３ａと、指示部３３ａの回動中心である基部３３ｂと、を有している。
【００３０】
移動対象画像Ｇ２は、図４に示すように、複数の指示位置画像Ｇ２１〜Ｇ２５を有しており、ＣＰＵ１１から要求された指示位置に対応した指示位置画像Ｇ２１〜Ｇ２５が表示器１５に描画される。なお、説明を簡単化するために、図４中では５つの画像のみを示しているが、その画像数は任意に定めることができる。そして、図４において、指示位置画像Ｇ２１は２８ｋ／ｍの描画位置Ｌ１、指示位置画像Ｇ２２は３３ｋ／ｍの描画位置Ｌ２、指示位置画像Ｇ２３は３８ｋ／ｍの描画位置Ｌ３、指示位置画像Ｇ２４は４５ｋ／ｍの描画位置Ｌ４、指示位置画像Ｇ２５は５０ｋ／ｍの描画位置Ｌ５、等にそれぞれ対応した画像データとなっている。また、図４では、実線で示す指示位置画像Ｇ２５が最新の描画位置Ｌ５であり、波線で示す描画位置Ｌ１〜Ｌ４が過去の描画位置Ｌ１〜Ｌ４となっている。そして、ＶＲＡＭ１６は、移動対象画像Ｇ２の過去の所定描画回数にわたる過去描画位置Ｌ１〜Ｌ４を記憶することから、図１に示す請求項中の過去描画位置記憶手段として機能している。
【００３１】
本実施形態では、図５に示すように、描画位置Ｌ５から過去描画位置Ｌ２までの領域を、移動対象画像Ｇ２の残像緩和領域Ｅとした場合について説明する。即ち、残像緩和領域Ｅは、移動対象画像Ｇ２の過去の所定描画回数（図５中では３回）にわたる過去描画位置Ｌ２，Ｌ３，Ｌ４を含んでいる。なお、所定描画回数は、３回に限定するものではなく、表示部１５の描画の応答性、移動対象画像Ｇ２の変化（移動）量、等に応じて適宜設定することができる。
【００３２】
残像緩和画像Ｄは、過去描画位置Ｌ２，Ｌ３，Ｌ４の残像を緩和するための画像データとなっている。残像緩和画像Ｄは、例えば、背景画像、打ち消し画像、等を、表示部１５の描画の応答性、等に応じて任意に定めることができる。そして、残像緩和画像Ｄは、図５に示すように、複数の分割残像緩和画像Ｄ１１〜Ｄ１３を有して構成している。そして、残像緩和領域Ｅは、描画位置Ｌ５と複数の過去描画位置Ｌ２〜Ｌ４に基づいて、複数の残像緩和分割領域Ｅ１１〜Ｅ１３に分割されている。この分割方法の一例としては、描画位置Ｌ５と複数の過去描画位置Ｌ２〜Ｌ４との各々において、各指針３３の指示部３３ａの中心線上に位置する２点（先端と根元など）の座標を求める。
【００３３】
例えば、描画位置Ｌ５において、先端の座標Ｃ５１を（ｘ１０，ｙ１０）、根元の座標Ｃ５２を（ｘ２０，ｙ２０）とする。過去描画位置Ｌ４において、先端の座標Ｃ４１を（ｘ１１，ｙ１１）、根元の座標Ｃ４２を（ｘ２１，ｙ２１）とする。過去描画位置Ｌ３において、先端の座標Ｃ３１を（ｘ１２，ｙ１２）、根元の座標Ｃ３２を（ｘ２２，ｙ２２）とする。過去描画位置Ｌ２において、先端の座標Ｃ２１を（ｘ１３，ｙ１３）、根元の座標Ｃ２２を（ｘ２３，ｙ２３）とする。
【００３４】
残像緩和分割領域Ｅ１１は、座標Ｃ５１，Ｃ５２，Ｃ４２，Ｃ４１を順次結ぶ領域となっている。残像緩和分割領域Ｅ１１は、座標Ｃ５１，Ｃ５２，Ｃ４２，Ｃ４１を順次結ぶ領域となっている。残像緩和分割領域Ｅ１２は、座標Ｃ４１，Ｃ４２，Ｃ３２，Ｃ３１を順次結ぶ領域となっている。残像緩和分割領域Ｅ１３は、座標Ｃ３１，Ｃ３２，Ｃ２２，Ｃ２１を順次結ぶ領域となっている。なお、移動対象画像Ｇ２の変化量が小さい場合、過去１回目の過去描画位置と描画位置Ｌ５との間を残像緩和領域Ｅとすることもできるが、残像緩和分割領域Ｅ１３を分割することで、略扇形の残像緩和領域Ｅとすることができる。
【００３５】
複数の分割残像緩和画像Ｄ１１〜Ｄ１３は、描画位置Ｌ５と複数の過去描画位置Ｌ２〜Ｌ４に基づいて残像緩和領域Ｅを分割した複数の残像緩和分割領域Ｅ１１〜Ｅ１３に対応した形状の画像データとなっている。複数の分割残像緩和画像Ｄ１１〜Ｄ１３は、移動対象画像Ｇ２から離れるに従って階調が段階的に低くする画像データとなっている。例えば、移動対象画像Ｇ２が赤色である場合、分割残像緩和画像Ｄ１１〜Ｄ１３に向かって赤色が段階的に淡くなるように設定している。また、複数の分割残像緩和画像Ｄ１１〜Ｄ１３の各々は、指針３３の回動中心に向かうに従って徐々に階調が低くなるように設定している。
【００３６】
次に、ＧＤＣ１４が実行する描画処理プログラムの一例を、図６に示すフローチャートを参照して以下に説明する。該描画処理プログラムは、ＣＰＵ１１からの指示位置の入力に応じて起動されることを前提としている。そして、意匠画像Ｇ１は常時、表示器１５に描画されていることを前提としている。
【００３７】
ＧＤＣ１４は、ステップＳ１１（前回移動対象画像消去手段Ｐ５）において、指示位置データと描画位置Ｌ５と残像緩和分割領域Ｅ１１〜Ｅ１３をＶＲＡＭ１６や内蔵メモリ等に記憶する。そして、表示部１５に対して、描画位置Ｌ５に表示した移動対象画像Ｇ２と、前回の残像緩和分割領域Ｅ１１〜Ｅ１３に表示した分割残像緩和画像Ｄ１１〜Ｄ１３の消去を要求し、その後ステップＳ１２の処理に進む。この処理により、表示器１５は残像緩和分割領域Ｅ１１〜Ｅ１３の分割残像緩和画像Ｄ１１〜Ｄ１３の消去を開始する。
【００３８】
ＧＤＣ１４は、ステップＳ１２（描画位置特定手段Ｐ１）において、前記指示位置データに基づいて新たな描画位置Ｌ５を特定すると共に、該新たな描画位置Ｌ５から前回の描画位置Ｌ５までの変化量を算出し、その後ステップＳ１３の処理に進む。本実施形態では、変化量を前回描画位置と新規描画位置の差とする場合について説明するが、これに代えて、前々回或いは３回前の描画位置と新規描画位置との差、など種々異なる実施形態とすることができる。また、スピードメータであれば、スピード値で変化量を求めることもできる。
【００３９】
ＧＤＣ１４は、ステップＳ１３において、前記変化量が予め定められた第１閾値よりも大きいか否かを判定する。変化量が第１閾値より大きくないと判定した場合（Ｓ１３でＮｏ）、ステップＳ１４の処理に進む。ＧＤＣ１４は、ステップＳ１４において、前記指示位置データに関連付けられた残像緩和処理フラグ等に基づいて、前回残像緩和処理を実行したか否かを判定する。前回残像緩和処理を実行していないと判定した場合（Ｓ１４でＮｏ）、ステップＳ１６の処理に進む。一方、前回残像緩和処理（ステップＳ１７〜Ｓ２２の一連の処理）を実行していると判定した場合（Ｓ１４でＹｅｓ）、ステップＳ１５の処理に進む。
【００４０】
ＧＤＣ１４は、ステップＳ１５において、前記変化量が第２閾値よりも大きいか否かを判定する。第２閾値は第１閾値よりも小さく設定することで（第１閾値＞第２閾値）、描画にヒステリシスを持たせている。そして、変化量が第２閾値よりも大きくないと判定した場合（Ｓ１５でＮｏ）、ステップＳ１６において、描画位置Ｌ５と残像緩和分割領域Ｅ１１〜Ｅ１３をクリアし、その後ステップＳ２３の処理に進む。
【００４１】
また、ＧＤＣ１４は、ステップＳ１５において、変化量が第２閾値よりも大きいと判定した場合（Ｓ１５でＹｅｓ）、ステップＳ１７（残像緩和領域検出手段Ｐ２）において、過去の描画位置Ｌ４，Ｌ３，Ｌ２等に基づいて、描画位置Ｌ５から前記過去描画位置Ｌ２までの移動対象画像Ｇ２の新たな残像緩和領域Ｅを検出すると共に、前記指示位置データに残像緩和処理フラグを関連付ける。そして、ＧＤＣ１４は、ステップＳ１８（残像緩和領域分割手段Ｐ６）において、描画位置Ｌ４，Ｌ３等に基づいて、該残像緩和領域Ｅを残像緩和分割領域Ｅ１１〜Ｅ１３に分割し、それらの残像緩和分割領域Ｅ１１〜Ｅ１３の各々に対応した前記分割残像緩和画像Ｄ１１〜Ｄ１３を作成し、その後、ステップＳ１９の処理に進む。
【００４２】
ＧＤＣ１４は、ステップＳ１９において、ＶＲＡＭ１６に保存している最古の描画位置Ｌ１をクリアすると共に、過去の描画位置Ｌ２〜Ｌ５を描画位置Ｌ１〜Ｌ４として変更して記憶する。ＧＤＣ１４は、ステップＳ２０において、今回の描画位置Ｌ５をＶＲＡＭ１６に記憶し、その後、ステップＳ２１の処理に進む。
【００４３】
ＧＤＣ１４は、ステップＳ２１において、今回求めた分割残像緩和画像Ｄ１１〜Ｄ１３の全てを描画したか否かを判定する。ＧＤＣ１４は、全てを描画していないと判定した場合（Ｓ２１でＮｏ）、ステップＳ２２（残像緩和画像描画手段Ｐ３）において、今回求めた分割残像緩和画像Ｄ１１〜Ｄ１３の描画を、表示器１５に順次要求し、その後、ステップＳ２１の処理に戻り、一連の処理を繰り返す。ステップＳ２２の処理により、表示器１５は、分割残像緩和画像Ｄ１１〜Ｄ１３の各々を残像緩和分割領域Ｅ１１〜Ｅ１３に順次描画する。
【００４４】
また、ＧＤＣ１４は、ステップＳ２１において、分割残像緩和画像Ｄ１１〜Ｄ１３の全てを描画したと判定した場合（Ｓ２１でＹｅｓ）、ステップＳ２３（移動対象画像描画手段Ｐ４）において、今回の描画位置Ｌ５に対する移動対象画像Ｇ２の表示を表示器１５に要求し、その後、処理を終了する。このステップＳ２３の処理により、表示器１５は、分割残像緩和画像Ｄ１１の一部と重なるように、移動対象画像Ｇ２を今回の描画位置Ｌ５に描画する。
【００４５】
以上の説明した描画処理プログラムをＧＤＣ１４が実行することで、図１に示す描画位置特定手段Ｐ１、残像緩和領域検出手段Ｐ２、残像緩和画像描画手段Ｐ３、移動対象画像描画手段Ｐ４、前回移動対象画像消去手段Ｐ５、残像緩和領域分割手段Ｐ６としてＧＤＣ１４が機能することになる。
【００４６】
次に、上述した表示車両用表示システム１の移動対象画像描画装置１０の本発明に係る動作（作用）の一例を、図７，８の図面を参照して以下に説明する。詳細には、上述した移動対象画像Ｇ２を、車両速度の変化に応じて、図７（ｄ），（ｃ），（ｂ），（ａ）の順に変化したときに、図７（ａ）の描画位置Ｌ１５に描画させる場合について説明する。
【００４７】
移動対象画像描画装置１０は、描画位置Ｌ１５の移動対象画像Ｇ２を表示器１５に描画する場合、過去の描画位置Ｌ１１〜Ｌ１４がＶＲＡＭ１６に記憶している。移動対象画像描画装置１０は、まず、描画位置Ｌ１５を特定し、該描画位置Ｌ１５に対応した残像緩和領域Ｅを検出する。ここでは、過去３回分の描画位置Ｌ１２〜Ｌ１４に基づいて残像緩和領域Ｅを求める場合について説明する。移動対象画像描画装置１０は、描画位置Ｌ１５と過去の描画位置Ｌ１２に挟まれた指針３３の指示部３３ａの回動範囲を、残像緩和領域Ｅとして検出する。
【００４８】
移動対象画像描画装置１０は、残像緩和領域Ｅを３つに分割する場合、過去の描画位置Ｌ１２，Ｌ１３との間を、図８（ｃ）に示す残像緩和分割領域Ｅ１３とする。そして、移動対象画像描画装置１０は、次の過去の描画位置Ｌ１３，Ｌ１４との間を、図８（ｂ）に示す残像緩和分割領域Ｅ１２、その次の過去の描画位置Ｌ１４と描画位置Ｌ１５との間を、図８（ｄ）に示す残像緩和分割領域Ｅ１１と分割する。移動対象画像描画装置１０は、図８（ｄ）に示すように、それらの残像緩和分割領域Ｅ１１〜Ｅ１３の各々に対応した前記分割残像緩和画像Ｄ１１〜Ｄ１３作成する。
【００４９】
移動対象画像描画装置１０は、分割残像緩和画像Ｄ１３，Ｄ１２，Ｄ１１を順次、表示器１５の残像緩和分割領域Ｅ１３，Ｅ１２，Ｅ１１の各々に描画し、その後、表示器１５の描画位置Ｌ１５に移動対象画像Ｇ２を描画する。その結果、移動対象画像描画装置１０の表示器１５には、移動対象画像Ｇ２が表示されると共に、その移動方向とは反対方向に、分割残像緩和画像Ｄ１１，Ｄ１２，Ｄ１３を移動対象画像Ｇ２に連続させて表示することができる。以降、移動対象画像描画装置１０は、所定の計測タイミング等に応じて上述した動作を行う。
【００５０】
以上説明した移動対象画像描画装置１０によれば、移動対象画像Ｇ２を過去に描画した領域を残像緩和領域Ｅとし、該残像緩和領域Ｅに残像緩和画像Ｄ１１〜１３を表示するようにしたことから、残像緩和領域Ｅによって過去の移動対象画像Ｇ２が残像として視認されることを低減できるため、視認者が移動対象画像Ｇ２を視認し易くなる。また、残像緩和領域Ｅに残像緩和画像Ｄ１１〜１３を描画するだけで良いため、ＧＤＣ１４の描画処理の負荷を少なくできる。従って、応答性の遅い表示器１５を用いても、高速動作する移動対象画像Ｇ２の残像を緩和することができるため、違和感やちらつきのない表示を行うことができる。そして、本発明の移動対象画像描画装置１０によって描画処理の負担を軽減できることから、発熱や放出ノイズを低減できるため、車載部品としての使用を可能とすることができる。
【００５１】
また、移動対象画像描画装置１０によれば、描画位置Ｌ５，Ｌ１５等の特定に応じて前回の移動対象画像Ｇ２を消去するようにしたことから、描画の応答性が遅い表示器１５でも、過去の移動対象画像Ｇ２が残像として視認されることをより一層確実に防止できるため、視認性の向上を図ることができる。
【００５２】
さらに、移動対象画像描画装置１０によれば、残像緩和領域Ｅを複数の残像緩和分割領域Ｅ１１〜１３に分割し、複数の残像緩和分割領域Ｅ１１〜１３に描画する分割残像緩和画像Ｄ１１〜１３の各々を、移動対象画像Ｇ２から離れるに従って階調が段階的に低くなるように描画するようにしたことから、移動対象画像Ｇ２の移動速度を早くしても、移動対象画像Ｇ２の移動方向や描画位置Ｌ５，Ｌ１５を認識し易くすることができるため、視認者が移動対象画像Ｇ２の位置を咄嗟に判断することができる。
【００５３】
また、移動対象画像描画装置１０によれば、複数の残像緩和分割領域Ｅ１１〜１３に描画する分割残像緩和画像Ｄ１１〜１３の各々を、指針３３の回動中心に向かうに従って徐々に階調が低くなるように描画するようにしたことから、指針３３の回動中心寄りの描画処理の付加を低減することができるため、描画の応答性が遅い低価格の表示器１５を用いても視認性の向上を図ることができる。
【００５４】
なお、上述した本実施形態では、残像緩和領域Ｅを分割する場合について説明したが、これに代えて、例えば、前記変化量が小さい場合は分割しない、分割数を変化させる実施形態とすることもできる。また、上述した本実施形態では、過去の描画位置に基づいて、残像緩和分割領域Ｅ１１〜１３を検出していたため、それらの分割領域は大きさが異なる。この場合、分割領域が多き過ぎると、略台形の形状が目立つため、その分割領域をさらに分割する実施形態とすることもできる。
【００５５】
また、上述した実施形態では、移動対象画像描画装置１０を車両用表示システム１に適用した場合について説明したが、本発明はこれに限定するものではなく、移動対象画像描画装置１０を例えば、ゲーム機、航空機用の計器、オーディオのパワーメータ、圧力計や流量計などの計測器、等の指針を描画する各種表示器に適用することができる。
【００５６】
このように上述した実施例は本発明の代表的な形態を示したに過ぎず、本発明は、実施形態に限定されるものではない。即ち、本発明の骨子を逸脱しない範囲で種々変形して実施することができる。
【図面の簡単な説明】
【００５７】
【図１】本発明の移動対象画像描画装置及び車両用表示システムの基本構成を示す構成図である。
【図２】本発明に係る移動対象画像描画装置の概略構成を示す構成図である。
【図３】スピードメータに対応した表示画面の一例を示す図である。
【図４】移動対象画像と描画位置との関係を説明するための図である。
【図５】移動対象画像と残像緩和画像の一例を説明するための図である。
【図６】図２のＧＤＣが実行する描画処理の一例を示すフローチャートである。
【図７】移動対象画像の移動例を示す図である。
【図８】図７の移動例に対応した移動対象画像と残像緩和画像の関係を説明するための図である。
【符号の説明】
【００５８】
１    車両用表示システム
１０    移動対象画像描画装置
１４    ＧＤＣ
１５    表示器
１６    ＶＲＡＭ
Ｄ    残像緩和画像
Ｇ    表示画像
Ｇ２    移動対象画像
【図１】
2010133888.tif 000003
【図２】
2010133888.tif 000004
【図３】
2010133888.tif 000005
【図６】
2010133888.tif 000006
【図４】
2010133888.tif 000007
【図５】
2010133888.tif 000008
【図７】
2010133888.tif 000009
【図８】
2010133888.tif 000010